(57)【要約】【課題】記憶媒体出し入れ部に収容されている記憶媒体の内容を容易に認識可能にして、使い勝手を良くする。【解決手段】本発明の音楽再生機能付きカーナビゲーション装置１は、装置本体２の前面部に設けられた記憶媒体出し入れ部５、６、７と、この記憶媒体出し入れ部５、６、７を覆うものであってスライド可能に設けられたディスプレイ３とを備えてなるものにおいて、ディスプレイ３をスライドさせたときに、記憶媒体出し入れ部５、６、７に収容されている記憶媒体の種類情報や内容情報等を、ディスプレイ３の表示画面における記憶媒体出し入れ部５、６、７に対応する部位に表示するように構成したものである。【選択図】　図１
2004132771.tif 000002
【特許請求の範囲】
【請求項１】
装置本体の前面部に設けられ記憶媒体を出し入れする記憶媒体出し入れ部と、この記憶媒体出し入れ部を覆うものであって前記装置本体の前面部にスライド可能に設けられたディスプレイとを備えてなる音楽再生機能付きカーナビゲーション装置において、
前記記憶媒体出し入れ部から前記記憶媒体を取り出すために、前記ディスプレイをスライドさせたときに、前記記憶媒体出し入れ部に収容されている前記記憶媒体の種類情報や前記記憶媒体に記憶されているデータの内容を説明する内容情報等を、前記ディスプレイの表示画面における前記記憶媒体出し入れ部に対応する部位に表示したことを特徴とする音楽再生機能付きカーナビゲーション装置。
【請求項２】
装置本体の前面部に設けられ記憶媒体を出し入れする記憶媒体出し入れ部と、この記憶媒体出し入れ部を覆うものであって前記装置本体の前面部にスライド可能に設けられた操作パネル部と、前記装置本体に出し入れ可能に設けられたスライドアウト形のディスプレイとを備えてなる音楽再生機能付きカーナビゲーション装置において、
前記記憶媒体出し入れ部から前記記憶媒体を取り出すために、前記操作パネル部をスライドさせたときに、前記記憶媒体出し入れ部に収容されている前記記憶媒体の種類情報や前記記憶媒体に記憶されているデータの内容を説明する内容情報等を、外に出された状態の前記ディスプレイの表示画面における前記記憶媒体出し入れ部に対応する部位に表示したことを特徴とする音楽再生機能付きカーナビゲーション装置。
【発明の詳細な説明】
【０００１】
【発明の属する技術分野】
本発明は、地図用ＣＤ−ＲＯＭや音楽用ＣＤ−ＲＯＭや地図用メモリスティックや音楽用メモリスティック等の記憶媒体を読み取り可能に構成された音楽再生機能付きカーナビゲーション装置に関する。
【０００２】
【従来の技術】
この種の音楽再生機能付きカーナビゲーション装置には、記憶媒体を挿入するスロット（記憶媒体出し入れ部）が複数設けられており、これらスロットに地図用ＣＤ−ＲＯＭ、音楽用ＣＤ−ＲＯＭ、地図用メモリスティック、音楽用メモリスティック等を適宜挿入することにより、地図を表示したり、音楽を再生したりしている。
【０００３】
【発明が解決しようとする課題】
上記音楽再生機能付きカーナビゲーション装置においては、スロットが複数あるため、ユーザーは、各スロットに収容されている記憶媒体の内容（即ち、記憶媒体に記憶されているデータの内容）を十分に把握できないという不具合があった。このため、スロットから特定の記憶媒体をイジェクトしたい場合に、どのスロットから記憶媒体をイジェクトすべきかよくわからず、使い勝手が良くなかった。
【０００４】
尚、スロットが１個の場合であっても、そのスロットに種々の内容の記憶媒体例えばＣＤ−ＲＯＭを挿入することが可能であるため、スロットに収容されている記憶媒体の内容を十分に把握することができないという不具合がある。
【０００５】
本発明は上記事情に鑑みてなされたものであり、その目的は、記憶媒体出し入れ部に収容されている記憶媒体の内容を容易に認識することができて、使い勝手を良くすることができる音楽再生機能付きカーナビゲーション装置を提供するにある。
【０００６】
【課題を解決するための手段】
請求項１の発明によれば、記憶媒体出し入れ部から記憶媒体を取り出すために、ディスプレイをスライドさせたときに、記憶媒体出し入れ部に収容されている記憶媒体の種類情報や記憶媒体に記憶されているデータの内容を説明する内容情報等を、ディスプレイにおける記憶媒体出し入れ部に対応する部位に表示するように構成したので、ユーザーは、記憶媒体出し入れ部に収容されている記憶媒体の内容を容易に認識することができ、使い勝手が良くなる。
【０００７】
請求項２の発明によれば、記憶媒体出し入れ部から記憶媒体を取り出すために、操作パネル部をスライドさせたときに、記憶媒体出し入れ部に収容されている記憶媒体の種類情報や記憶媒体に記憶されているデータの内容を説明する内容情報等を、外に出された状態のディスプレイにおける記憶媒体出し入れ部に対応する部位に表示するように構成したので、請求項１の発明とほぼ同様な作用効果を得ることができる。
【０００８】
【発明の実施の形態】
以下、本発明を例えばディスプレイ一体形の音楽再生機能付きカーナビゲーション装置に適用した一実施例について、図面を参照して説明する。図２は、本実施例の音楽再生機能付きカーナビゲーション装置１の全体構成を示す斜視図である。この図２に示すように、音楽再生機能付きカーナビゲーション装置１の装置本体２は、矩形箱状に構成されており、その前面部には、例えば一体形のディスプレイ３が斜め下方に向けてスライド可能に設けられている。図２の状態は、ディスプレイ３により、音楽再生機能付きカーナビゲーション装置１の装置本体２の前面部を閉じている状態である。そして、上記ディスプレイ３を斜め下方へスライドさせた状態、すなわち、装置本体２の前面部を開いている状態を、図１に示す。
【０００９】
上記ディスプレイ３は、液晶ディスプレイ、有機ＥＬ、プラズマディスプレイ等で構成されており、カラー表示が可能であると共に地図や文字や画像等を明確に表示可能な表示画面を備えている。このディスプレイ３の表示画面には、車両の現在位置マークと、地図データと、地図上に表示する誘導経路等の付加データとを重ねて表示することが可能な構成となっている。上記ディスプレイ３の図２中の左端部には、複数個（例えば３個）のメカニカルなプッシュスイッチ４等が配設されている。
【００１０】
上記複数のプッシュスイッチ４の中に、ディスプレイ３をスライドさせるためのスイッチがあり、このスイッチを操作すると、図示しない電動機構によりディスプレイ３が図１の状態から図２の状態へ（または図２の状態から図１の状態へ）スライドするように構成されている。尚、ユーザーが上記ディスプレイ３を直接マニュアル操作することによっても、ディスプレイ３をスライドさせることが可能なようになっている。
【００１１】
また、装置本体２の前面部には、図１に示すように、記憶媒体出し入れ部として例えば３個のスロット５、６、７が設けられている。これら３個のスロット５、６、７のうち、第１のスロット５と第２のスロット６は、記憶媒体として例えばメモリスティック８を出し入れ可能なスロットであり、該メモリスティック８を読み取り可能なメモリスティック読取装置で構成されている。また、第３のスロット７は、記憶媒体として例えばＣＤ−ＲＯＭ９及びＤＶＤ−ＲＯＭ（図示しない）を出し入れ可能なスロットであり、該ＣＤ−ＲＯＭ９及びＤＶＤ−ＲＯＭを読み取り可能なＣＤ・ＤＶＤ読取装置で構成されている。尚、装置本体２の前面部における各スロット５、６、７の近傍には、各記憶媒体をイジェクトするためのイジェクトスイッチ（図示しない）が設けられている。
【００１２】
次に、上記構成の音楽再生機能付きカーナビゲーション装置１の電気的構成について、図３を参照しながら説明する。この図３に示すように、音楽再生機能付きカーナビゲーション装置１は、制御回路１０と、位置検出器１１と、地図データ入力器１２と、操作スイッチ群１３と、外部メモリ１４と、ディスプレイ３と、リモコンセンサ１５と、音楽出力装置１６とから構成されている。
【００１３】
上記制御回路１０は、音楽再生機能付きカーナビゲーション装置１の動作全般を制御する機能を有しており、通常のコンピュータ（例えばマイクロコンピュータ）として構成されている。即ち、制御回路１０は、ＣＰＵ、ＲＯＭ、ＲＡＭ、Ｉ／Ｏ及びこれらを接続するバス（いずれも図示しない）を備えて構成されている。
【００１４】
位置検出器１１は、地磁気センサ１７と、ジャイロスコープ１８と、距離センサ１９と、ＧＰＳ（Ｇｌｏｂａｌ　Ｐｏｓｉｔｉｏｎｉｎｇ　Ｓｙｓｔｅｍ　）受信機２０とから構成されている。位置検出器１１は、上記４つのセンサ１７〜２０により互いに補間しながら車両の現在位置を検出するように構成されており、高精度の位置検出機能を有している。尚、位置検出精度をそれほど必要としない場合には、４つのセンサ１７〜２０のうちの何れかで（または複数のセンサの組み合わせで）位置検出器１１を構成しても良い。また、車両のステアリングの回転センサや、ホイールの車輪センサ等を組み合わせて位置検出器１１を構成しても良い。
【００１５】
地図データ入力器１２は、上記したＣＤ・ＤＶＤ読取装置で構成されており、地図データやマップマッチング用データや目印データや音声認識用辞書データ等の各種データを入力するための装置であると共に、本実施例では、音楽用ＣＤ−ＲＯＭや映像（兼音楽）用ＤＶＤ−ＲＯＭを読み取って音楽データや映像データ等を入力するための装置である。
【００１６】
操作スイッチ群１３は、ディスプレイ３の表示画面の上面に設けられたタッチスイッチ（タッチパネル）と、ディスプレイ３の周辺部に設けられたメカニカルなプッシュスイッチ４等とから構成されている。また、外部メモリ１４は、上記した２個のメモリスティック読取装置で構成されており、地図データや音楽データや映像データ等を入力するための装置である。尚、外部メモリ１４を、メモリカードや磁気テープ等の読取装置で構成しても良い。
【００１７】
音楽出力装置１６は、例えばスピーカで構成されており、地図データ入力器１２または外部メモリ１４から入力した音楽データに基づいて制御回路１０が再生した音楽を出力するように構成されている。尚、制御回路１０によって合成された音声等も、上記音楽出力装置１６から出力されるように構成されている。
【００１８】
また、音楽再生機能付きカーナビゲーション装置１の制御回路１０は、ユーザーが操作スイッチ群１３やリモコン２１を操作して目的地を設定すると、現在位置から目的地までの最適経路（誘導経路）を自動的に計算して設定する機能や、現在位置を地図上に位置付けるマップマッチング処理を実行する機能等を備えている。
【００１９】
尚、自動的に最適経路を設定する方法としては、例えばダイクストラ法等が知られている。また、リモコン２１を操作すると、その操作信号はリモコンセンサ１５を介して制御回路１０に与えられるように構成されている。尚、制御回路１０は、携帯電話機２２を接続することにより、この携帯電話機２２を介して外部ネットワーク２３に接続されており、これにより、インターネットや専用の情報センター等とデータを送受信することが可能なように構成されている。
【００２０】
次に、上記構成の音楽再生機能付きカーナビゲーション装置１の作用、特には、スロット５、６、７から記憶媒体（メモリスティック８やＣＤ−ＲＯＭ９等）をイジェクトする場合の動作について説明する。
【００２１】
この場合、ユーザーは、ディスプレイ３を図２に示す状態（閉状態）から斜め下方へスライドさせることにより、図１に示す状態（開状態）にする。すると、制御回路１０は、ディスプレイ３の開閉を検知する検知スイッチ（図示しない）からの検知信号に基づいて、ディスプレイ３が開放されたことを検知すると共に、スロット５、６、７（記憶媒体出し入れ部）に収容されている記憶媒体の種類情報や記憶媒体に記憶されているデータの内容を説明する内容情報等を、ディスプレイ３の表示画面における前記スロット５、６、７に対応する部位に表示するように構成されている。
【００２２】
具体的には、第１のスロット５には、メモリスティックが入っていないため、図１に示すように、ディスプレイ３の表示画面における第１のスロット５に対応する部位には、「ＮＯ　ＣＡＲＤ」という文字等が表示され、メモリスティックが収容されていないことがわかる。
【００２３】
そして、第２のスロット６には、メモリスティック８が収容されているため、ディスプレイ３の表示画面における第２のスロット６に対応する部位には、上記収容されているメモリスティック８の内容を示す情報として、例えば「ＭＡＰ　ＣＡＲＤ　ＪＰ２００２」という文字等が表示される。これにより、第２のスロット６には、上記表示された内容のメモリスティック８、すなわち、地図データが記憶されているメモリスティック８が収容されていることが容易にわかる。
【００２４】
尚、上記第２のスロット６に収容されているメモリスティック８の内容が音楽データである場合には、ディスプレイ３の表示画面における第２のスロット６に対応する部位には、例えば「ＭＵＳＩＣ　ＣＡＲＤ」という文字等が表示されるように構成されている。
【００２５】
また、上記第１のスロット５についても、メモリスティックが収容されている場合には、そのメモリスティックの内容に応じて、上記第２のスロット６の場合と同様にして、ディスプレイ３の表示画面における第２のスロット６に対応する部位に、例えば「ＭＵＳＩＣ　ＣＡＲＤ」または「ＭＡＰ　ＣＡＲＤ」という文字等が表示されるように構成されている。尚、上記第１または第２のスロット５、６の場合、「ＭＵＳＩＣ　ＣＡＲＤ」または「ＭＡＰ　ＣＡＲＤ」と表示する代わりに、「ＭＵＳＩＣ　ＤＡＴＡ」または「ＭＡＰ　ＤＡＴＡ」と表示するように構成しても良い。
【００２６】
一方、第３のスロット７には、今、例えば音楽用ＣＤ−ＲＯＭ９が収容されているため、ディスプレイ３の表示画面における第３のスロット７に対応する部位には、上記収容されている音楽用ＣＤ−ＲＯＭ９の内容を示す情報として、例えば「ＭＵＳＩＣ　ＣＤ」という文字等が表示される。これにより、第３のスロット７には、上記表示された内容の音楽用ＣＤ−ＲＯＭ９が収容されていることが容易にわかる。
【００２７】
尚、上記第３のスロット７に収容されているＣＤ−ＲＯＭ９が地図用ＣＤ−ＲＯＭである場合には、ディスプレイ３の表示画面における第３のスロット７に対応する部位には、例えば「ＭＡＰ　ＣＤ」という文字等が表示されるように構成されている。
【００２８】
また、上記第３のスロット７に収容されている記憶媒体が地図用のＤＶＤ−ＲＯＭである場合には、ディスプレイ３の表示画面における第３のスロット７に対応する部位には、例えば「ＭＡＰ　ＤＶＤ」という文字等が表示されるように構成されている。更に、上記第３のスロット７に収容されている記憶媒体が音楽用のＤＶＤ−ＲＯＭである場合には、ディスプレイ３の表示画面における第３のスロット７に対応する部位には、例えば「ＭＵＳＩＣ　ＤＶＤ」という文字等が表示されるように構成されている。
【００２９】
更にまた、上記第３のスロット７に収容されている記憶媒体が映像用のＤＶＤ−ＲＯＭである場合には、ディスプレイ３の表示画面における第３のスロット７に対応する部位には、例えば「ＭＯＶＩＥ　ＤＶＤ」（または「ＶＩＤＥＯ　ＤＶＤ」）という文字等が表示されるように構成されている。
【００３０】
尚、ディスプレイ３の表示画面における中央部の下部には、ディスプレイ３が開いていることを示す表示態様、この場合、「ＤＯＯＲ　ＯＰＥＮ」が表示されるように構成されている。
【００３１】
このような構成の本実施例によれば、スロット５、６、７（記憶媒体出し入れ部）から記憶媒体を取り出すために、ディスプレイ３をスライドさせたときに、スロット５、６、７に収容されている記憶媒体の種類情報や記憶媒体に記憶されているデータの内容を説明する内容情報等を、ディスプレイ３の表示画面におけるスロット５、６、７に対応する部位に表示するように構成したので、ユーザーは、スロット５、６、７に収容されている記憶媒体の内容を容易に認識することができる。このため、使い勝手が良くなる。
【００３２】
尚、上記実施例においては、記憶媒体に記憶されているデータの内容を説明する内容情報等として、「ＭＡＰ　ＣＡＲＤ　ＪＰ２００２」、「ＭＵＳＩＣ　ＣＡＲＤ」、「ＮＯ　ＣＡＲＤ」、「ＭＵＳＩＣ　ＣＤ」、「ＭＡＰ　ＣＤ」、「ＭＡＰ　ＤＶＤ」、「ＭＵＳＩＣ　ＤＶＤ」、「ＭＯＶＩＥ　ＤＶＤ」（または「ＶＩＤＥＯ　ＤＶＤ」）という文字等を表示するように構成したが、これに限られるものではない。例えば、ＣＤやＤＶＤ等の記憶媒体にタイトルが記憶されている場合には、そのタイトルを表示するように構成しても良い。また、メーカー製の地図用の記憶媒体の場合、地図の種類を示す情報が記憶されているので、この地図の種類を示す情報を表示するように構成しても良い。
【００３３】
また、上記実施例においては、ディスプレイ一体形の音楽再生機能付きカーナビゲーション装置１（即ち、スライド可能なディスプレイ３によって各スロット５、６、７を覆うタイプの構成）に適用したが、これに限られるものではなく、例えば、別体のディスプレイを有する音楽再生機能付きカーナビゲーション装置（即ち、スライド可能な操作パネルによって各スロットを覆うタイプの構成）に適用しても良い。
【００３４】
上記別体のディスプレイを有する音楽再生機能付きカーナビゲーション装置としては、例えば電動スライドアウト形ディスプレイを有する構成が好ましい。この構成では、装置本体の前面部に操作パネル部がスライド可能に設けられていると共に、装置本体にディスプレイ（電動スライドアウト形のディスプレイ）が電動スライド機構を介して出し入れ可能に設けられている。そして、上記操作パネルによって、装置本体の前面部に設けられたスロット（記憶媒体出し入れ部）が覆われるように構成されている。
【００３５】
この構成の場合、スロットから記憶媒体を取り出すために、操作パネル部をスライドさせると、スロットに収容されている記憶媒体の種類情報や記憶媒体に記憶されているデータの内容を説明する内容情報等が、外に出された状態のディスプレイの表示画面における前記スロットに対応する部位に表示されるように構成されている。
【００３６】
尚、上記電動スライドアウト形ディスプレイを有する音楽再生機能付きカーナビゲーション装置において、上述した以外の構成は、前記実施例の構成とほぼ同じ構成となっている。従って、上記装置においても、前記実施例とほぼ同じ作用効果を得ることができる。
【図面の簡単な説明】
【図１】本発明の一実施例を示すものであり、ディスプレイをスライドさせた状態の音楽再生機能付きカーナビゲーション装置の斜視図
【図２】音楽再生機能付きカーナビゲーション装置の斜視図
【図３】音楽再生機能付きカーナビゲーション装置のブロック図
【符号の説明】
１は音楽再生機能付きカーナビゲーション装置、２は装置本体、３はディスプレイ、５は第１のスロット、６は第２のスロット、７は第３のスロット、８はメモリスティック（記憶媒体）、９はＣＤ−ＲＯＭ（記憶媒体）、１０は制御回路、１１は位置検出器、１２は地図データ入力器、１３は操作スイッチ群、１４は外部メモリ、１６は音楽出力装置を示す。
【図１】
2004132771.tif 000003
【図２】
2004132771.tif 000004
【図３】
2004132771.tif 000005